(57)【要約】【課題】画像信号の色空間情報の切り換わりにおいて、表示上の色の変化を防ぐことができる画像信号出力装置及び画像信号出力方法を提供する。【解決手段】  画像信号の出力を制御するビデオ・グラフィック・プロセッサ１２と、画像信号の第１の色空間規格と第２の色空間規格とが切り換わる切換時刻を検出するし、画像信号が一方の色空間規格から他方の色空間規格への切り換えに応じて、画像信号の色空間情報を変更するホストＣＰＵ１３と、所定のデジタル映像信号伝送規格にて上記画像信号と上記色空間情報とを伝送するＨＤＭＩ  Ｔｘ１４とを備え、ビデオ・グラフィック・プロセッサ１２は、切換時刻から所定期間の間に次の色空間規格の切り換えがある場合、他方の色空間規格に応じて予め定められた画像信号を挿入する。【選択図】図１
2009038686.tif 000002
【特許請求の範囲】
【請求項１】
第１の色空間規格の画像信号と当該第１の色空間規格で規定される色域よりも広い色域の第２の色空間規格の画像信号とを出力する画像信号出力装置であって、
上記画像信号の第１の色空間規格と第２の色空間規格とが切り換わる切換時刻を検出する検出手段と、
上記画像信号が一方の色空間規格から他方の色空間規格への切り換えに応じて、上記画像信号の色空間情報を変更する制御手段と、
上記画像信号の出力を制御する出力制御手段と、
所定のデジタル映像信号伝送規格にて上記画像信号と上記色空間情報とを伝送する伝送手段とを備え、
上記出力制御手段は、上記画像信号が一方の色空間規格から他方の色空間規格への切り換わる場合、予め定められた画像信号を挿入することを特徴とする画像信号出力装置。
【請求項２】
上記制御手段は、上記他方の色空間規格が現在の色空間規格の色空間情報と異なる場合に、上記予め定められた画像信号を挿入することを特徴とする請求項１記載の画像信号出力装置。
【請求項３】
上記検出手段は、上記画像データのメタデータから上記切り換わり時刻を検出することを特徴とする請求項１記載の画像信号出力装置。
【請求項４】
上記予め定められた画像信号は、色空間情報の変更に対して色変化が生じない単一色の画像信号であることを特徴とする請求項１記載の画像信号出力装置。
【請求項５】
第１の色空間規格の画像信号と当該第１の色空間規格で規定される色域よりも広い色域の第２の色空間規格の画像信号とを出力する画像信号出力方法であって、
上記画像信号の第１の色空間規格と第２の色空間規格とが切り換わる切換時刻を検出する検出工程と、
上記画像信号が一方の色空間規格から他方の色空間規格への切り換えに応じて、上記画像信号の色空間情報を変更する変更工程と、
上記画像信号の出力する出力工程と、
所定のデジタル映像信号伝送規格にて上記画像信号と上記色空間情報とを伝送する伝送工程とを備え、
上記出力工程では、上記画像信号が一方の色空間規格から他方の色空間規格への切り換わる場合、上記他方の色空間規格に応じて予め定められた画像信号を挿入することを特徴とする画像信号出力方法。
【発明の詳細な説明】
【技術分野】
【０００１】
本発明は、色空間情報が異なる複数の画像信号を出力する画像信号出力装置及び画像信号出力方法に関する。
【背景技術】
【０００２】
従来より、ディスプレイやＨＤＴＶ（High Definition TeleVision）の放送では、ｓＲＧＢ（ＩＥＣ（International Electrotechnical Commission）６１９６６−２−１）やＩＴＵ−Ｒ（International Telecommunication Union-Radiocommunication Sector）  ＢＴ．７０９で規格化された色空間が広く使われているが、近年、広色域パネルの出現により、受像機側でｓＲＧＢを超える広色域の色表現が可能となっている。
【０００３】
このような受像機には、パネルの広色域を活かすために、ｓＲＧＢの色空間の映像コンテンツに対して信号処理によって色域を伸長する技術（以下、「色域伸長処理」と呼ぶ。）が採用されており、受像機は、ｓＲＧＢ色空間でクリップされてしまうような彩度の高い色を色域伸長処理することで、より鮮やかな色を再現することができる。また、ユーザは、受像機の画質モードを選択することにより、色域伸長処理をオン／オフすることが可能となっている。
【０００４】
また、受像機は、例えば、ＨＤＭＩ（High-Definition Multimedia Interface）を使って、映像信号とともに色空間情報を、ソース機器から受信することも可能となっており、色空間情報に従って、ＢＴ．７０９の場合は、色域伸長処理をオン状態にし、他の広色域の色空間情報の場合は、色域伸長処理をオフ状態にする、といった制御を自動的に行うことができる。
【０００５】
一方、撮像素子やカメラ信号処理も広色域化しており、カメラで撮影したＲＧＢを超える色域の広色域信号を、ディスクやテープへ記録し、再生することも可能となっている。また、ディスクやテープに記録された広色域信号を、ＩＥＥＥ（Institute of Electrical and Electronic Engineers）１３９４などのデジタルインターフェースを介して光ディスクレコーダにダビングしたり、広色域信号が記録された該ディスクを光ディスクレコーダやプレーヤで再生したりすることも可能となっている。また、カメラやレコーダは、ＨＤＭＩを使って、これらの広色域信号や色空間情報などを受像機に伝送することもできる。
【０００６】
【特許文献１】特開２００６−１８０４７７号公報
【発明の開示】
【発明が解決しようとする課題】
【０００７】
ところで、受像機で色域伸長処理をオン／オフする場合、伸長処理が施される色信号は、色味、色の濃さなどがオン／オフによって変化する。例えば、送信側の機器が色空間属性の異なる映像信号（例えば、ＢＴ．７０９とｘｖＹＣＣ７０９）を連続して伝送する場合、伝送する映像信号の色空間属性の変化に合わせて伝送する色空間情報を切り換え、受像機は該色空間の変化を検出して色域伸長処理を切り換える。しかし、受像機において色空間の検出、又は色域伸長処理の切り換えに時間を要する場合、実際の映像信号の色空間属性の切り換わり時刻と、映像に施される色域伸張処理の切り換わり時刻とがずれ、その間、適切な色域伸長処理が施されない映像が表示されるという問題が発生していた。さらに、映像信号の切り換わりとずれて色域伸張処理のオン／オフが切り換わるので、映像の色味の変化などが発生して見た目を損なうという問題が発生していた。
【０００８】
本発明は、このような従来の実情に鑑みて提案されたものであり、画像信号の色空間情報の切り換わりにおいて、表示上の色の変化を防ぐことができる画像信号出力装置及び画像信号出力方法を提供することを目的とする。
【課題を解決するための手段】
【０００９】
上述の課題を解決するために、本発明に係る画像信号出力装置は、第１の色空間規格の画像信号と当該第１の色空間規格で規定される色域よりも広い色域の第２の色空間規格の画像信号とを出力する画像信号出力装置であって、上記画像信号の第１の色空間規格と第２の色空間規格とが切り換わる切換時刻を検出する検出手段と、上記画像信号が一方の色空間規格から他方の色空間規格への切り換えに応じて、上記画像信号の色空間情報を変更する制御手段と、上記画像信号の出力を制御する出力制御手段と、所定のデジタル映像信号伝送規格にて上記画像信号と上記色空間情報とを伝送する伝送手段とを備え、上記出力制御手段は、上記画像信号が一方の色空間規格から他方の色空間規格への切り換わる場合、上記他方の色空間規格に応じて予め定められた画像信号を挿入することを特徴とする。
【００１０】
また、本発明に係る画像信号出力方法は、第１の色空間規格の画像信号と当該第１の色空間規格で規定される色域よりも広い色域の第２の色空間規格の画像信号とを出力する画像信号出力方法であって、上記画像信号の第１の色空間規格と第２の色空間規格とが切り換わる切換時刻を検出する検出工程と、上記画像信号が一方の色空間規格から他方の色空間規格への切り換えに応じて、上記画像信号の色空間情報を変更する変更工程と、上記画像信号の出力する出力工程と、所定のデジタル映像信号伝送規格にて上記画像信号と上記色空間情報とを伝送する伝送工程とを備え、上記画像信号が一方の色空間規格から他方の色空間規格への切り換わる場合、上記他方の色空間規格に応じて予め定められた画像信号を挿入することを特徴とする。
【発明の効果】
【００１１】
本発明によれば、画像信号が一方の色空間規格から他方の色空間規格への切り換わる際、他方の色空間規格に応じて予め定められた画像信号を挿入するため、受像機側で色が表示上変化するのを防ぐことができる。
【発明を実施するための最良の形態】
【００１２】
以下、本発明を適用した具体的な実施の形態について、図面を参照しながら詳細に説明する。
【００１３】
図１は、本発明の一実施の形態に係る再生システムを示す図である。この再生システムは、記録再生装置１と、受像機２とが、ＨＤＭＩ（High-Definition Multimedia Interface）ケーブル３を介して接続されており、受像機２は、第１の色空間規格の画像データを、第１の色空間規格で規定される色域よりも広い色域の第２の色空間規格の画像データに擬似的に色域を伸張して表示することが可能となっている。第１の色空間規格の例としては、ｓＲＧＢ（ＩＥＣ６１９６６−２−１）、ＩＴＵ−Ｒ  ＢＴ．７０９等が挙げられる。また、第２の色空間規格の例としては、ｘｖＹＣＣ等が挙げられる。
【００１４】
ｘｖＹＣＣは、国際電気標準会議（IEC）が国際標準（IEC 61966−2−4）として発行した規格であり、ＨＤＴＶ（High Definition TeleVision）で利用するＩＴＵ−Ｒ  ＢＴ．７０９の色域（ｓＲＧＢと同等）との互換性を確保しながら、色空間を広げたものである。そして、このｘｖＹＣＣによれば、現行の動画コンテンツの色空間規格「ＩＴＵ−Ｒ  ＢＴ．７０９」（静止画ではｓＲＧＢに相当）では表現できない色を表現することができる。
【００１５】
図２は、ｘｖＹＣＣの色域を平面に投射した場合の模式図である。この図２において、色域ａはｓＲＧＢの色域であり、色域ｂはｘｖＹＣＣで拡張された色域である。図２に示すようにｓＲＧＢでは、Ｒ，Ｇ，Ｂそれぞれを０〜１で表現する色のみを利用してきたのに対し、ｘｖＹＣＣでは負の値や１を超える色も定義されている。したがって、例えば、受像機２がｓＲＧＢの色域ａの映像コンテンツを色域ｂにまで伸長する処理（以下、「色域伸長処理」と呼ぶ。）を行って、物体の素材感・立体感を忠実に再現すれば、ユーザは広色域のカラー画像を楽しむことができる。
【００１６】
ＨＤＭＩケーブル３の規格であるＨＤＭＩは、ＩＥＥＥ１３９４の上位互換とされており、物理層にはＴＭＤＳ（Transition Minimized Differential Signaling）、信号の暗号化にはＨＤＣＰ（High-bandwidth Digital Content Protection）、機器間認証にはＥＤＩＤ（Extended Display Identification Data）、系全体の制御系接続にはＣＥＣ（Consumer Electronics Control）が採用されている。また、ＨＤＭＩバージョン１．３には、メタデータとｘｖＹＣＣ色空間の定義が追加されている。したがって、例えば、受像機２が記録再生装置１から受信したメタデータと自身の色域情報とに基づいて画像データを色域伸張処理すれば、より具体的には画像データに対し機器間の色空間の変換処理（Gamut Mapping Algorithm）をすれば、正しい色を再現することができる。
【００１７】
図１に戻って、再生システムの構成について説明する。記録再生装置１は、ＭＰＥＧ（Moving Picture Expert Group）デコーダ１１と、ビデオ・グラフィック・プロセッサ１２と、ホストＣＰＵ（Central Processing Unit）１３と、ＨＤＭＩ  Ｔｘ（トランスミッタ）１４と、ＨＤＭＩコネクタ１５とを備えている。
【００１８】
ＭＰＥＧデコーダ１１は、ＭＰＥＧ１、ＭＰＥＧ２、ＭＰＥＧ４、ＭＰＥＧ４−ＡＶＣ／Ｈ．２６４などのビデオストリームをデコードし、ベースバンド信号を生成する。
【００１９】
ビデオ・グラフィック・プロセッサ１２は、ＭＰＥＧデコーダ１１にて生成されたベースバンド信号を所望の画枠サイズへ変換処理したり、複数のベースバンド信号を合成処理したりする。
【００２０】
ホストＣＰＵ１３は、ＭＰＥＧデコーダ１１及びビデオ・グラフィック・プロセッサ１２を制御する。例えば、ＭＰＥＧデコーダ１１に所望のビデオストリームのデコードを指示し、ビデオ・グラフィック・プロセッサ１２にデコードされたベースバンド信号を用いた合成画像の生成を指示する。また、合成画像の色空間情報を決定し、その色空間情報をＨＤＭＩ  Ｔｘ１４に送る。また、ホストＣＰＵ１３は、ＨＤＭＩケーブル３のＤＤＣ（Display Data Channel）ラインにより受像機２と通信を行う。
【００２１】
ＨＤＭＩ  Ｔｘ１４は、ビデオ・グラフィック・プロセッサ１２にて信号処理された映像音声信号とともに、ホストＣＰＵ１３から送られた色空間情報を示す色域識別フラグ、メタデータなどの属性データをＴＭＤＳ信号に変換し、ＨＤＭＩコネクタ１５に出力する。この属性データは、ＨＤＭＩ規格で定義されているＡＶＩ（Auxiliary Video Information）ＩｎｆｏＦｒａｍｅを使って伝送することができる。
【００２２】
ＨＤＭＩコネクタ１５は、ＨＤＭＩケーブル３と接続され、ＨＤＭＩ  Ｔｘ１４にて変換されたＴＭＤＳ信号を受像機２に伝送する。
【００２３】
次に、受像機２の構成について説明する。受像機２は、ＨＤＭＩコネクタ２１と、ＨＤＭＩ  Ｒｘ（レシーバ）２２と、ホストＣＰＵ２３と、ＥＤＩＤＲＯＭ（Extended Display Identification Data Read Only Memory）２４と、ビデオ・グラフィック・プロセッサ２５と、ディスプレイデバイス２６とを備えている。
【００２４】
ＨＤＭＩコネクタ２１は、ＨＤＭＩケーブル３と接続され、ＴＭＤＳ信号を受信する。
【００２５】
ＨＤＭＩ  Ｒｘ２２は、ＴＭＤＳ信号から映像音声信号と属性データとを取得し、映像信号をビデオ・グラフィック・プロセッサ２５に送る。
【００２６】
ホストＣＰＵ２３は、属性データに基づいてビデオ・グラフィック・プロセッサ２５の色域伸長処理のオン／オフを制御する。具体的には、例えば、属性データの色空間情報がＩＴＵ−Ｒ  ＢＴ．７０９の場合、ビデオ・グラフィック・プロセッサ２５の色域伸長処理をオン状態にし、属性データの色空間情報がｘｖＹＣＣの場合、ビデオ・グラフィック・プロセッサ２５の色域伸長処理をオフ状態にする。
【００２７】
ＥＤＩＤＲＯＭ２４には、受像機２のディスプレイ情報が記憶されており、例えば、受像機２の対応解像度情報、色域の種別を示す色空間情報が書き込まれている。ＥＤＩＤＲＯＭ２４に記憶されたディスプレイ情報は、ＨＤＭＩケーブル３のＤＤＣ（Display Data Channel）ラインを介して記録再生装置１に提供される。
【００２８】
図３は、ビデオ・グラフィック・プロセッサ２５の構成を示すブロック図である。ビデオ・グラフィック・プロセッサ２５は、メモリ２５１と、スケーラ２５２と、カラーエキスパンダ２５３と、ビデオエンコーダ２５４とを備えている。ＨＤＭＩ  Ｒｘ２２から入力された映像信号は、メモリ２５１のビデオ・プレーンに書き込まれる。メモリ２５１に書き込まれた映像信号は、各プレーンから読み出され、スケーラ２５２で所望のサイズへのスケーリングが施される。また、ホストＣＰＵ２３からの命令に応じてカラーエキスパンダ２５３で色域拡張処理が施される。ビデオエンコーダ２５４は、所望の出力仕様になるようにタイミング生成、同期信号の付加などを行う。
【００２９】
ディスプレイデバイス２６は、広色域パネルを有し、ビデオ・グラフィック・プロセッサ２５にて信号処理された画面を表示する。
【００３０】
このように、受像機２は、映像音声信号とともに受信した属性データに応じて色域伸張処理をオン／オフすることにより、画面内の物体を広色域の色空間で忠実に再現することができる。
【００３１】
図４は、記録再生装置１の構成を具体的に示すブロック図である。記録再生装置１は、ライン入力端子４１と、アナログチューナ４２と、ディスクドライブ４３と、ハードディスクドライブ４４と、ＩＥＥＥ１３９４端子４５と、デジタルチューナ４６と、ライン入力端子４１又はアナログチューナ４２からの入力信号のいずれか１つを選択するセレクタ４７と、セレクタ４７からの映像音声信号をデコードするビデオデコーダ４８と、ビデオデコーダ４８にてデコードされたベースバンド信号又はビデオ・グラフィック・プロセッサ５４にて画像合成等の信号処理が施されたベースバンド信号のいずれか１つを選択するセレクタ４９と、セレクタ４９からのベースバンド信号をエンコードするＭＰＥＧエンコーダ５０と、ＨＤＶ（High-Definition Video）プロセッサ５１と、ストリームプロセッサ５２と、ＭＰＥＧデコーダ５３ａ，５３ｂと、ビデオ・グラフィック・プロセッサ５４と、ＨＤＭＩ  Ｔｘ５５と、ＤＡＣ５６と、ＨＤＭＩコネクタ５７と、コンポーネント端子５８と、コンポジット端子５９と、ホストＣＰＵ６０とを備えている。
【００３２】
ここで、ＭＰＥＧデコーダ５３ａ，５３ｂ、ビデオ・グラフィック・プロセッサ５４、ＨＤＭＩ  Ｔｘ５５、ＨＤＭＩコネクタ５７、ホストＣＰＵ６０は、それぞれ図１に示すＭＰＥＧデコーダ１１、ビデオ・グラフィック・プロセッサ１２、ＨＤＭＩ  Ｔｘ１４、ＨＤＭＩコネクタ１５、ホストＣＰＵ１３に対応するものである。
【００３３】
続いて、記録再生装置１における記録動作について説明する。ライン入力端子４１から入力される映像信号と、アナログチューナ４２から出力される映像信号は、セレクタ４７で所望の入力が選択された後、ビデオデコーダ４８に入力される。ビデオデコーダ４８は、例えば入力されたＮＴＳＣ方式のアナログ映像信号をＡ／Ｄ変換した後、輝度信号とクロマ信号とに分離するとともにデコード処理を施す。デコードされたベースバンドビデオ信号は、セレクタ４７、及びビデオ・グラフィック・プロセッサ５４に入力される。セレクタ４９で、ビデオデコーダ４８からの出力と、ビデオ・グラフィック・プロセッサ５４からの出力とのいずれかを選択した後、選択されたベースバンド信号がＭＰＥＧエンコーダ５０に入力される。ＭＰＥＧエンコーダ５０は、ＭＰＥＧ１、ＭＰＥＧ２、ＭＰＥＧ４、ＭＰＥＧ４−ＡＶＣ／Ｈ．２６４など所望のエンコードを行う。エンコードされたストリームは、ストリームプロセッサ５２に入力される。ストリームプロセッサ５２から、ＢＤ（Blu-ray Disc、商標）、ＤＶＤ（Digital Versatile Disc）などのディスクドライブ４３やハードディスクドライブ４４などにストリームが送られ、所望のメディアに記録される。
【００３４】
また、ＩＥＥＥ１３９４入力端子４５から入力されたストリームは、ＨＤＶプロセッサ５１を経てストリームプロセッサ５２に入力され、デジタルチューナ４６からのストリームもストリームプロセッサ５２に入力される。ストリームプロセッサ５２に入力されたストリームは、ＢＤ、ＤＶＤなどのディスクドライブ４３やハードディスクドライブ４４などの所望のメディアに記録される。
【００３５】
また、ストリームプロセッサ５２に入力されたストリームは、ストリームプロセッサ５２で所望のビデオストリームの抜き出しやパーズなどの処理を施し、ＭＰＥＧデコーダ５３でデコードした後、ビデオ・グラフィック・プロセッサ５４、セレクタ４９を経由してＭＰＥＧエンコーダ５０に入力される。ＭＰＥＧエンコーダ５０は、ＭＰＥＧ１、ＭＰＥＧ２、ＭＰＥＧ４、ＭＰＥＧ４−ＡＶＣ／Ｈ．２６４など所望のエンコードを行い、エンコードされたストリームは、ストリームプロセッサ５２に入力される。ストリームプロセッサ５２から、ＢＤ、ＤＶＤなどのディスクドライブ４３やハードディスクドライブ４４などにストリームが送られ、所望のメディアに記録される。
【００３６】
次に、記録再生装置１における再生動作について説明する。ＢＤ、ＤＶＤなどのディスクドライブ４３やハードディスクドライブ４４で再生されたストリームは、ストリームプロセッサ５２に入力される。ストリームプロセッサ５２は、所望のビデオストリームの抜き出しやパーズを行った後、ＭＰＥＧデコーダ５３ａ、５３ｂに送る。ＭＰＥＧデコーダ５３ａ、５３ｂはストリームから画像データの色空間属性に関する情報をパーズする。また、ＭＰＥＧデコーダ５３ａ、５３ｂは、画像データをデコードする。ＭＰＥＧデコーダ５３ａ、５３ｂでデコードされたベースバンドビデオ信号は、ビデオ・グラフィック・プロセッサ５４に入力される。ビデオ・グラフィック・プロセッサ５４では、所望の画枠サイズへの変換処理や種々のビデオ信号処理を施し、該映像信号にグラフィックス信号などを合成した後、ＨＤＭＩ  Ｔｘ５５に送られる。ＨＤＭＩ  Ｔｘ５５では、入力されたベースバンド信号をＴＭＤＳ信号に変換して、制御信号とともにＨＤＭＩコネクタ５７に出力する。また、ビデオ・グラフィック・プロセッサ５４の出力は、ＤＡＣ５６に入力され、Ｄ／Ａ変換したアナログコンポーネント信号がコンポーネント端子５８に出力されるとともに、Ｄ／Ａ変換したアナログコンポジットビデオ信号（あるいは、Ｙ／Ｃセパレートビデオ信号）もコンポジットビデオ端子（あるいは、Ｓ端子）５９に出力される。
【００３７】
次に、図１〜４を参照して記録再生装置１における伝送動作について説明する。ここで、ＢＤ、ＤＶＤなどのディスクドライブ４３やハードディスクドライブ４４で再生されたストリームには、広色域映像信号とともに、色域の種別を識別するための識別フラグ、及び色域の付随情報であるメタデータが含まれているものとする。
【００３８】
再生された映像音声信号、識別フラグ及びメタデータを含んだストリームは、ストリームプロセッサ５２に入力される。ストリームプロセッサ５２は、ストリームのパーズを行い、識別フラグ及び、メタデータを抽出し、ホストＣＰＵ６０は、ストリームの識別フラグ等のメタデータをストリームプロセッサ５２から取得する。識別フラグ及びメタデータは、エレメンタリーストリームの付加情報として記録してあるので、ビデオ信号との同期は常に保たれる。広色域信号を含んだストリームは、前述の再生系の説明の通り、ＭＰＥＧデコーダ５３ａ、５３ｂでデコードされた後、ビデオ・グラフィック・プロセッサ５４を経てＨＤＭＩ  Ｔｘ５５に送られる。
【００３９】
ビデオ・グラフィック・プロセッサ５４は、伝送する映像信号を一時的に記憶する記憶するバッファメモリを有し、映像信号の出力を所定期間遅延させることができる。
【００４０】
また、ホストＣＰＵ６０は、ＨＤＭＩコネクタ５７に接続されたＨＤＭＩケーブル３のＤＤＣ（Ｄｉｓｐｌａｙ  Ｄａｔａ  Ｃｈａｎｎｅｌ）ラインにより受像機２と通信を行い、受像機２に内蔵するＨＤＭＩ  Ｒｘ（レシーバ）２２、ホストＣＰＵ２３を介して、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）  ＲＯＭ２４に書かれているディスプレイ情報を取得する。ＥＤＩＤ  ＲＯＭ２４には、受像機２の対応解像度情報などの他に、色域の種別を示す色空間情報も書かれている。したがって、ホストＣＰＵ６０は、ディスプレイ情報を取得することにより、接続している受像機２が広色域映像信号に対応しているか否かを判別することができる。そして、ＨＤＭＩケーブル３によって接続された受像機２が広色域映像信号に対応している場合、ホストＣＰＵ６０は、広色域映像信号を伝送する際、映像信号の属性としてディスクから取得した色域識別フラグ、及びメタデータをＨＤＭＩ  Ｔｘ５５にセットすることができる。
【００４１】
また、ホストＣＰＵ６０は、後述するように、映像信号において、例えば、ＢＴ．７０９等の第１の色空間規格と、それよりも広い色域を持つｘｖＹＣＣ等の第２の色空間規格とが切り換わる切換時刻を検出する。また、映像信号が一方の色空間規格から他方の色空間規格に切り換わる度に、ＨＤＭＩ  Ｔｘ５５にセットする映像信号の色空間情報を変更する。また、色空間情報の変更時刻から色空間規格の切換時刻までの期間を制御して、ビデオ・グラフィック・プロセッサ５４のバッファメモリに記憶された映像信号を出力する。これにより、色空間規格の切換時刻が色空間情報の変更時刻よりも遅くなるようにバッファメモリから映像信号を出力することができる。
【００４２】
ＨＤＭＩ  Ｔｘ５５は、映像音声信号とともに色域識別フラグ、メタデータなどの属性データをＴＭＤＳ信号に変換し、ＨＤＭＩコネクタ５７から出力する。色域の種別を示す識別フラグ、メタデータは、ＨＤＭＩ規格で定義されているＡＶＩ（Ａｘｉｌｉａｒｙ  Ｖｉｄｅｏ  Ｉｎｆｏｒｍａｔｉｏｎ）  ＩｎｆｏＦｒａｍｅを使って伝送することができる。例えば、色域識別フラグは、ＡＶＩ  ＩｎｆｏＦｒａｍｅパケット内のＣｏｌｏｒｉｍｅｔｒｙやＥｘｔｅｎｄｅｄ  Ｃｏｌｏｒｉｍｅｔｒｙで定義される。また、オーディオ信号の属性データは、Ａｕｄｉｏ  ＩｎｆｏＦｒａｍｅを用いることができる。
【００４３】
図５は、ビデオ・グラフィック・プロセッサ５４の機能ブロック図である。ビデオ・グラフィック・プロセッサ５４は、メモリ５４１と、合成処理部５４２ａ〜５４２ｄと、グラフィックエンジン５４３と、ＪＰＥＧエンジン５４４とを備えている。ここで、合成処理部５４２ａ〜５４２ｄは、出力毎に用意されており、それぞれスケーラ５４５と、ブレンダ５４６と、ビデオエンコーダ５４７とを備えている。
【００４４】
ビデオデコーダ４８の出力、及びＭＰＥＧデコーダ５３ａ、５３ｂの出力は、メモリ５４１のビデオ・プレーンに書き込まれる。また、グラフィックエンジン５４３は、メモリ５４１のグラフィックス・プレーンにグラフィックス・データを書き込む。ＪＰＥＧエンジン５４４は、ＪＰＥＧファイルをデコードして、メモリ５４１のビデオ・プレーンにＪＰＥＧデータを書き込む。メモリ５４１に書き込まれた画像データは、各プレーンから読み出され、スケーラ５４５で所望のサイズへのスケーリングなどが行われ、ブレンダ５４６に送られる。ブレンダ５４６は、各プレーンから読み出された画像の合成を行う。ビデオエンコーダ５４７は、所望の出力仕様になるようにタイミング生成、同期信号の付加などを行う。
【００４５】
ところで、このような再生システムにおいて、受像機２が該色空間情報の変化を検出して色域伸長処理を切り換えても、受像機での色空間情報の変化の検出や色域伸長処理の切り換わりに時間を要する場合には、実際の映像信号の色空間属性の切り換わり時刻と、映像信号に施される色域伸張処理の切り換わり時刻とがずれ、その間、適切な色域伸長処理が施されない映像が表示されることがある。以下、具体例を挙げて詳細に説明する。なお、具体的な色空間規格として、ＢＴ．７０９を挙げ、それよりも広い色域の色空間規格としてｘｖＹＣＣ（xvYCC709）を挙げて説明する。
【００４６】
図６及び図７は、それぞれ従来の伝送動作を示すフローチャート及び模式図である。ステップＳ１１において、ホストＣＰＵ６０は、ＭＰＥＧデコーダ５３から出力された映像信号の色空間規格の切り換わりを検出する。ステップＳ１２において、ホストＣＰＵ６０は、検出された切り換わりに応じて色空間情報を映像信号の色空間属性に変更する。具体的には、切り換わる色空間規格の色域識別フラグをＨＤＭＩ  Ｔｘ５５にセットする。
【００４７】
このように映像信号の色空間規格が切り換わる切換時刻と色空間情報が変更される変更時刻とを一致させて受像機２に伝送すると、受像機２において色域伸張処理の切り換え等の遅延により、映像信号の色空間規格の切り換わり時刻と、映像信号に施される色域伸張処理の切り換わり時刻とが一致しない。
【００４８】
例えば、図７に示すように、時刻ｔ０に伝送する映像信号の色空間属性がＢＴ．７０９からｘｖＹＣＣに切り換わり、それと同時に、伝送する色空間情報もＢＴ．７０９からｘｖＹＣＣに切り換わる場合、受像機２は、映像信号に施す色域伸張処理の切り換えを、映像信号の色空間属性の切り換わりと完全に一致させられない。このような場面は、映画等の連続して再生する映像コンテンツ（以下、タイトルという。）のタイトルリスト等が表示されたＧＵＩ（Graphical User Interface）画面から映像タイトルの再生に遷移する場合等に発生する。時刻Ｔ０において、受像機２が表示する映像信号の色空間属性がＢＴ．７０９からｘｖＹＣＣに切り換わり、時刻Ｔ０’に受像機が表示する映像信号に施す色域伸張処理がオンからオフに切り換わるとすると、時刻Ｔ０〜Ｔ０’の期間は、ｘｖＹＣＣの映像信号に対してさらに色域伸張処理が施されるという不適切な処理が発生する。また、時刻Ｔ０’において色域伸張処理がオンからオフに切り換わるとき、映像の色味の変化などが発生して見た目を損なう、という問題が発生する。
【００４９】
そこで、本実施形態では、画像信号が一方の色空間規格から他方の色空間規格への切り換わる際、予め定められた画像信号を挿入し、受像機側で色が表示上変化するのを防ぐ。予め定められた画像信号は、色空間情報の変更に対して色変化しないミュート画の信号であって、画面全体が黒等の単一色で構成される無効な画像データである。
【００５０】
ミュート画の映像信号は、例えば、ハードディスクドライブ４４に予め記憶されており、ホストＣＰＵ６０は、ビデオ・グラフィック・プロセッサ５４にて、ミュート画の映像信号をタイトルの映像信号に挿入する。
【００５１】
具体的には、ブレンダ５４６へミュート画像の映像信号を入力し、タイトルの映像信号の合成を停止することにより、ミュート画像の出力を開始する。または、ブレンダ５４６に映像信号が合成されない画像領域に特定の色（ミュート色）を入力し、タイトルの映像信号の合成を停止することにより、ミュート色を出力する。
【００５２】
図８は、ミュート画の映像信号を挿入した場合の伝送動作を示す模式図である。映像信号の色空間規格がＢＴ．７０９からｘｖＹＣＣ７０９に切り換わる場合、ミュート画の映像信号とＢＴ．７０９の色空間情報とを出力する。そして、所定期間待ち、その後にｘｖＹＣＣ７０９の映像信号（タイトル再生）の出力を開始する。このようにミュート画の映像信号を挿入することにより、受像機２側では、時刻ｔ０’にミュート画が表示され、時刻Ｔ０にｘｖＹＣＣ７０９のタイトル映像が表示される。時刻ｔ０’から時刻Ｔ０までのミュート画が表示されている期間に色域伸張処理がオン状態からオフ状態に切り換わる。つまり、受像機２側の色域伸張処理の切り替えがミュート画に対して行われるため、色域伸張処理のオン／オフが切り換わるとき、映像の色味の変化などが発生するのを防ぐことができる。
【００５３】
なお、所定期間の長さとしては、受像機の映像信号の入力時刻と色域伸張処理の切り換え時刻との期間よりも十分に長い値（例えば１秒）を装置固有の固定値として使用することができる。
【００５４】
次に、連続して再生する映像コンテンツの一例としてＢｌｕ−ｒａｙ  Ｄｉｓｃ  Ｒｅｗｒｉｔａｂｌｅ  Ｆｏｒｍａｔ  Ｐａｒｔ３  Ａｕｄｉｏ  Ｖｉｓｕａｌ  Ｂａｓｉｃ  Ｓｐｅｃｉｆｉｃａｔｉｏｎ  Ｖｅｒｓｉｏｎ２．１規格におけるプレイリストを挙げて説明する。
【００５５】
ＢＤ−ＲＥ（Blu-ray Disc Rewritable）のファイル構造は、上位からプレイリストファイル、クリップインフォメーションファイル、ストリームファイルの階層構造となっている。クリップインフォメーションファイルには、ストリームファイル内にある複数のプレイアイテムの接続の対応関係等の情報が含まれている。したがって、あるプレイリストは、クリップインフォメーションにより複数のプレイアイテムが接続されて再生される。
【００５６】
図９は、プレイリストを構成する再生単位毎に異なる色空間属性の画像データが混在する場合の伝送動作を示すフローチャートである。ステップＳ１１において、ホストＣＰＵ６０は、映像信号と色空間情報とを出力し、タイトルの再生を開始する。ステップＳ２２において、ホストＣＰＵ６０は、プレイアイテムの再生の終了を検出する。すなわち、プレイアイテムの切り換わりを検出する。
【００５７】
ステップＳ１３において、ホストＣＰＵ６０は、ステップＳ１２で検出された切り換わりにおいて、切り換わりまでのプレイアイテムがプレイリストの最後のプレイアイテムか否かを判別する。この判別は、例えばクリップインフォメーションを参照して行う。
【００５８】
ステップＳ１３において、最後のプレイアイテムである場合、ステップＳ１４に進み、色空間情報を変更せずに、プレイリストの再生を終了し（ステップＳ１５）、映像信号と色空間情報との伝送を終了する。
【００５９】
また、ステップＳ１３において、最後のプレイアイテムでない場合、ステップＳ１６に進み、ホストＣＰＵ６０は、次のプレイアイテムの先頭の映像信号の色空間規格が、次のプレイアイテムに切り換わり前の色空間情報のものと同じか否かを判別する。
【００６０】
ステップＳ１６において、次の映像信号の色空間規格が、次のプレイアイテムに換わる前の色空間情報ものと同じ場合、ステップＳ１７に進み、色空間情報を変更せずに、次のプレイリストの映像信号の再生を開始し（ステップＳ１８）、映像信号と色空間情報とを受像機２に伝送する。
【００６１】
ステップＳ１６において、次の映像信号の色空間規格が、次のプレイアイテムに換わる前の色空間情報ものと異なる場合、ステップＳ１９に進み、ホストＣＰＵ６０は、ビデオ・グラフィック・プロセッサ５４にてタイトルの映像信号にミュート画の映像信号を挿入する。ホストＣＰＵ６０は、ミュート画の映像信号が挿入されている挿入期間のカウントを開始する。
【００６２】
ステップＳ２０において、ホストＣＰＵ６０は、色空間情報の変更を所定時間待機し、所定期間経過後、次のプレイアイテムの先頭の映像信号の色空間規格の色空間情報に変更する（ステップＳ２１）。これにより、ミュート画の映像信号の方が、プレイアイテムの色空間情報よりも先に伝送されるため、確実にミュート画の表示期間内に色空間情報の変更を行うことができる。
【００６３】
ステップＳ２２において、ホストＣＰＵ６０は、挿入期間が終了するまで、さらに所定時間待機し、次のプレイリストの映像信号の再生を開始し（ステップＳ１８）、映像信号と色空間情報とを受像機２に伝送する。
【００６４】
図１０は、図９に示す伝送動作により伝送される映像信号と色空間情報との関係を示す模式図である。ＢＴ．７０９のプレイアイテム１からｘｖＹＣＣ７０９のプレイアイテム２に切り換わる場合、ミュート画の映像信号を挿入する。挿入時刻から所定期間経過後、時刻ｔ０’において色空間情報をｘｖＹＣＣ７０９規格に変更する。そして、ミュート画が表示される期間経過後、時刻ｔ０において映像信号をｘｖＹＣＣ７０９規格のプレイアイテム２に切り換える。また、プレイアイテム２からプレイアイテムへ切り換わる場合、ステップＳ１６において、次の映像信号の色空間規格が、次のプレイアイテムに換わる前の色空間情報ものと同じため、色空情報の変更は行わない。
【００６５】
このようにミュート画の映像信号を挿入することにより、受像機２側では、時刻ｔ０’にミュート画が表示され、時刻Ｔ０にｘｖＹＣＣ７０９のプレイアイテム２が表示される。そして、時刻ｔ０’から時刻Ｔ０までのミュート画が表示されている期間に色域伸張処理がオン状態からＯＦＦ状態に切り換わる。つまり、受像機２側の色域伸張処理の切り替えがミュート画に対して行われるため、色域伸張処理のオン／オフが切り換わるとき、映像の色味の変化などが発生するのを防ぐことができる。
【００６６】
なお、上記実施の形態では、ＭＰＥＧデコーダ５３から取得した色域識別フラグやメタデータから映像信号の色空間規格が切り換わる切換時刻を検出することとしたが、例えば、記録再生装置１が、受像機の機種情報毎に色空間情報の変更時刻から色空間規格の切換時刻までの期間が記憶されたデータベースを有していれば、受像機２のＥＤＩＤＲＯＭ２４から機種情報等を取得し、データベースの情報と照会することにより、自動で設定することができる。また、データベースは記録再生装置１が備えなくてもよく、記録再生装置１が接続可能なインターネット等のネットワーク上にあればよい。
【００６７】
また、上記実施の形態では、ＨＤＭＩを用いた伝送例に挙げて説明したが、これに限られるものではない。色域識別フラグ、メタデータなどの属性データを伝送することはできないが、例えば、コンポーネント端子５８、コンポジットビデオ端子（あるいは、Ｓ端子）５９から、広色域のアナログコンポーネント信号、アナログコンポジットビデオ信号（あるいは、Ｙ／Ｃセパレートビデオ信号）を出力し、ホストＣＰＵ６０が、例えば、ＴＣＰ／ＩＰ（Transmission Control Protocol / Internet Protocol）等により受像機２のホストＣＰＵ２３と通信するようにすればよい。
【図面の簡単な説明】
【００６８】
【図１】本発明の一実施の形態に係る再生システムを示す図である。
【図２】ｘｖＹＣＣの色域を平面に投射した場合の模式図である。
【図３】ビデオ・グラフィック・プロセッサの構成を示すブロック図である。
【図４】記録再生装置の構成を具体的に示すブロック図である。
【図５】ビデオ・グラフィック・プロセッサの機能ブロック図である。
【図６】従来の伝送動作を示すフローチャートである。
【図７】従来の伝送動作を示す模式図である。
【図８】ミュート画の映像信号を挿入した場合の伝送動作を示す模式図である。
【図９】異なる色空間属性の画像データが混在する場合の伝送動作を示すフローチャートである。
【図１０】伝送される映像信号と色空間情報との関係を示す模式図である。
【符号の説明】
【００６９】
１  記録再生装置、  ２  受像機、  ３  ＨＤＭＩケーブル、  １１  ＭＰＥＧデコーダ、  １２  ビデオ・グラフィック・プロセッサ、  １３  ホストＣＰＵ、  １４  ＨＤＭＩ  Ｔｘ、  １５  ＨＤＭＩコネクタ、  ２１  ＨＤＭＩコネクタ、  ２２  ＨＤＭＩ  Ｒｘ、  ２３  ホストＣＰＵ、  ２４  ＥＤＩＤＲＯＭ、  ２５  ビデオ・グラフィック・プロセッサ、  ２６  ディスプレイデバイス、  ４１  ライン入力端子、  ４２  アナログチューナ、  ４３  ディスクドライブ、  ４４  ハードディスクドライブ、  ４５  ＩＥＥＥ１３９４入力端子、  ４６  デジタルチューナ、  ４７  セレクタ、  ４８  ビデオデコーダ、  ４９  セレクタ、  ５０  エンコーダ、  ５１  ＨＤＶプロセッサ、  ５２  ストリームプロセッサ、  ５３  デコーダ、  ５４  ビデオ・グラフィック・プロセッサ
【図１】
2009038686.tif 000003
【図２】
2009038686.tif 000004
【図３】
2009038686.tif 000005
【図４】
2009038686.tif 000006
【図５】
2009038686.tif 000007
【図６】
2009038686.tif 000008
【図７】
2009038686.tif 000009
【図８】
2009038686.tif 000010
【図９】
2009038686.tif 000011
【図１０】
2009038686.tif 000012